(57)【要約】【課題】温度膨張のある薬液を意図した通りに滴下コントロールし得るとともに、使用後にノズルの先端から薬液が噴出することのない滴下ノズルを提供する。【解決手段】薬液を収容した薬液容器１１に接続され、該薬液容器１１内に通ずる連通孔１０と、該連通孔１０から先端の開口部８に薬液を供給する流路７とを有する滴下ノズルであって、連通孔１０の断面積が０．０４平方ミリメータ乃至０．１１平方ミリメータであり、流路７の表面積に対する体積の比が７．０乃至１０．５、開口部８の深さが０．７ミリメータ乃至１．２ミリメータ、開口部８の面積が２平方ミリメータ乃至５平方ミリメータの構成である。【選択図】図１
2015116448.tif 000002
【特許請求の範囲】
【請求項１】
薬液を収容した薬液容器に接続され、該薬液容器内に通ずる連通孔と、該連通孔から先端の開口部に薬液を供給する流路とを有する滴下ノズルであって、
前記連通孔の断面積が０．０４平方ミリメータ乃至０．１１平方ミリメータであり、前記流路の表面積に対する体積の比が７．０乃至１０．５、前記開口部の深さが０．７ミリメータ乃至１．２ミリメータ、前記開口部の面積が２平方ミリメータ乃至５平方ミリメータの構成であることを特徴とする滴下ノズル。
【請求項２】
前記流路の中央に仕切板を設けて２列以上の流路を形成したことを特徴とする請求項１記載の滴下ノズル。
【発明の詳細な説明】
【技術分野】
【０００１】
本発明は、歯科あるいは眼科等において、一定量の薬液を滴下するための滴下ノズルに関するものである。
【背景技術】
【０００２】
一般に、歯科用あるいは眼科用に、薬液を収容する容器に接続されて、定量の薬液を患部に滴下する小型の滴下ノズルが使用されている。例えば、薬液を収容する本体の首部にはめこまれた滴下ノズルがある（例えば、特許文献１参照）。この滴下ノズルは、先端の液溜室の底部を塞ぐ隔壁に連通孔を設け、本体から供給される薬液を連通孔から液溜室に供給して先端面から滴下するようにしたものである。
【先行技術文献】
【特許文献】
【０００３】
【特許文献１】特開２００９−２６１４５３号公報
【発明の概要】
【発明が解決しようとする課題】
【０００４】
この種の滴下ノズルは、気温、気圧などの環境条件に左右されず、常に適量の薬液が滴下されることが必要である。従来の滴下ノズルは、このような配慮がなされていないため、特に歯科あるいは眼科用など温度膨張のある薬液を意図した通りに滴下コントロールすることが困難であった。
【０００５】
さらにまた、温度条件などによっては、薬液を滴下したあと元に戻す際にノズルの先端から薬液が噴出するという現象が生じていた。
【０００６】
本発明は、温度膨張のある薬液を意図した通りに滴下コントロールし得るとともに、使用後にノズルの先端から薬液が噴出することのない滴下ノズルを提供することを目的とする。
【課題を解決するための手段】
【０００７】
請求項１記載の発明は、薬液を収容した薬液容器に接続され、該薬液容器内に通ずる連通孔と、該連通孔から先端の開口部に薬液を供給する流路とを有する滴下ノズルであって、前記連通孔の断面積が０．０４平方ミリメータ乃至０．１１平方ミリメータであり、前記流路の表面積に対する体積の比が７．０乃至１０．５、前記開口部の深さが０．７ミリメータ乃至１．２ミリメータ、前記開口部の面積が２平方ミリメータ乃至５平方ミリメータの構成とするものである。
【０００８】
請求項２記載の発明は、前記流路の中央に仕切板を設けて２列の流路を形成したものである。なお、仕切り板は、表面積と体積の関係上便宜的に２列としたものであり、２列以上の流路を形成しても良い。流路に凹凸を設けたり、流路表面の面を荒れさせることによって、表面積と体積の関係をコントロールしても良い。
【発明の効果】
【０００９】
本発明の滴下ノズルは、温度膨張のある薬液を意図した通りに滴下コントロールし得るとともに、使用後にノズルの先端から薬液が噴出することを防止することができる。
【図面の簡単な説明】
【００１０】
【図１】本発明の第１実施形態の縦断側面図である。
【図２】図1の平面図である。
【図３】本発明の第２実施形態の縦断側面図である。
【図４】図３の平面図である。
【図５】連通孔の断面積と噴出しの有無との関係を示す表である。
【図６】流路表面積、流路体積の変化と滴下コントロールの関係を示す表である。
【図７】開口部の深さ、断面積の変化と薬液噴出の関係を示す表である。
【図８】第１実施形態の滴下ノズルの寸法を示す縦断側面図である。
【発明を実施するための形態】
【００１１】
図１は本発明の滴下ノズルの第１実施形態を示す縦断側面図、図２は平面図である。
本実施形態の滴下ノズル１は、薬液を貯留する薬液容器２の口部に装着され、薬液容器２と一体的に接続された状態で使用される。
【００１２】
本実施形態の滴下ノズル１は、円筒状の本体３の上部に隔壁部４及び隔壁部４と一体のフランジ５が形成され、隔壁部４上にはノズル部６が一体に形成されている。ノズル部６は、底部が隔壁部４と一体に形成されており、かつ隔壁部４と一体の底部側の径が大きく、先端部の径が小さい先細りの円筒形状である。このノズル部６の内部に流路７が形成されている。ノズル部６の先端には流路７よりも径が大きい円形断面の開口部８が形成されている。隔壁部４には、本体３の内部と流路７との間に通ずる連通孔１０が形成されている。
【００１３】
容器２に薬液を収容し、ノズル部６の先端の開口部８より患部（歯又は眼など）に薬液を滴下して使用する。歯科で使用する薬液は、ある程度の粘性があり、かつ温度により膨張する性質の液体であり、このような性質の薬液を意図した通りに一定量を滴下（滴下コントロール）させる（条件１）とともに、使用後に元に戻す際にノズル部６の先端の開口部８から噴き出さないようにする（条件２）ことが重要である。
【００１４】
条件１である薬液の滴下コントロールは、滴下ノズル１の本体３の内部と流路７間に通ずる連通孔１０の断面積に依存するとともに、流路７の内壁の表面積（Ｓ平方ミリメートル）と流路７の体積（Ｍ立方ミリメートル）の比（Ｓ／Ｍ）にも依存する。これらの値により薬液の滴下のスピードが変化するため、これを適正な値とすることにより、滴下コントロールが可能となる。
条件２である開口部８からの噴き出し防止は、開口部の深さと面積に依存する。条件１及び条件２を確認する実験結果は後述する。
【００１５】
図３、図４は本発明の滴下ノズルの第２実施形態の縦断側面図、図２は平面図である。第２実施形態では、流路の中央部に仕切板１１を設け、この仕切板１１の両側に２列の流路７ａ、７ｂを形成し、隔壁部４にこれらの流路７ａ、７ｂに通ずる連通孔１０ａ、１０ｂを形成したものである。このように２列の流路７ａ、７ｂを形成することにより、流路の内壁の表面積が大きくなるため、薬液が流れる際の摩擦抵抗が大きくなり、滴下のスピードを落とすことができるため、滴下コントロールがしやすくなるという効果が得られる。
【００１６】
図５は、連通孔１０の断面積の変化に対する滴下コントロールの良否（条件１）を実験した結果を示している。連通孔１０が直径Ａの円形の場合（図８参照）は、πＡ２／４で表される。この実験は、第１実施形態の滴下ノズルであって、開口部８の直径が２．２５ミリメートル、流路７の直径が１．６ミリメートルのもので実験した。
【００１７】
図５の結果から、第１実施形態の滴下ノズルでは、連通孔１０の断面積を０．０４平方ミリメートル乃至０．１１平方ミリメートルとすることにより、最適の滴下コントロールを得ることができ、それ以外の寸法では滴下コントロールできないか、もしくはしずらいことが確かめられた。なお、連通孔１０の形状は、図１、図２の実施形態では円形の例を示しているが、連通孔１０の形状は限定されない。参考例として、連通孔１０が円形の場合は、直径を０．１１ミリメートル乃至０．１９ミリメートルの場合に最適の滴下コントロールを得ることができることが確かめられた。
【００１８】
なお、実験で使用した薬液は、接着性モノマー（ＭＤＰ）、親水性モノマー（ＨＲＥＭＡ）、架橋性モノマー（ＢｉＳ−ＧＭＡ）、光重合触媒、シリカ系マイクロフィラー、精製水、エタノール、を含む光重合型の歯科充填用コンポジットレジンであった（以下の実験も同様）。
【００１９】
図6に、流路７の内壁の表面積Ｓと流路７の体積Ｍの比（Ｓ／Ｍ）の変化に対する滴下コントロールの良否（条件１）を実験した結果を示している（この比の計算方法は図８に示す）。
図６の結果から、この流路表面積Ｓ／流路体積Ｍを７．０乃至１０.５とすることにより、最適の滴下コントロールを得ることができることが確かめられた。
【００２０】
図８に示すように、流路７の内壁の表面積Ｓ＝流路の円周×流路の長さＤであらわされる。図示のように、直径Ｃの円形の場合は、Ｓ＝πＣ×Ｄで計算される。
また、流路７の体積Ｍ＝流路の断面積×流路の長さＤで計算される。流路７が円形の場合は、流路７の断面積は、直径Ｃの円形の場合は、πＣ２／４で表される。
【００２１】
条件２である、ノズル部６の先端の開口部８からの薬液噴き出しの有無は、開口部８の深さ及び断面積に依存する。この値が小さすぎ又は大きすぎると、薬液の溜りが適量でなくなり、使用後に温度変化などにより開口部８から噴き出してしまう。
【００２２】
図７に、開口部８の深さＦ（図８参照）と、開口部８の断面積の変化に対する薬液噴出しの有無を実験した結果を示している。この実験は、第１実施形態の滴下ノズルであって、連通孔１０の直径が０．１５ミリメートル、流路７の直径が１．６ミリメートルのもので実験した。なお、開口部８が直径Ｅの円形の場合は、断面積はπＥ２／４で表される。
【００２３】
図７の結果から、開口部８から噴き出さないようにするには、開口部８の深さＦを０．７ミリメートル乃至１．２ミリメートル、開口部８の断面積を２ミリメートル乃至５ミリメートルとすることが必要であることが確かめられた。このような数値の構成であれば、第２実施形態の仕切板１１の枚数や形状を変えても開口部８からの噴出しはないことが確かめられた。
【００２４】
以上のように、本発明の滴下ノズルによれば、連通孔１０、流路７及び開口部８の寸法や形状を最適に規定することにより、薬液の滴下コントロールが可能となり、かつ、開口部８からの薬液の噴出を防止することが可能となる。
【図１】
2015116448.tif 000003
【図２】
2015116448.tif 000004
【図３】
2015116448.tif 000005
【図４】
2015116448.tif 000006
【図５】
2015116448.tif 000007
【図６】
2015116448.tif 000008
【図７】
2015116448.tif 000009
【図８】
2015116448.tif 000010